(57)【要約】【課題】本発明はスポットライトを開示した。【解決手段】本発明はスポットライトを開示し、固定箱を含み、前記固定箱の中には伝動チャンバが設置され、前記伝動チャンバの左右の内壁の間にはウォームが回転できるように取り付けられ、前記ウォームの左側端面にはノブが固定的に取り付けられ、前記伝動チャンバの上方には回転チャンバが連通して設置され、遮光板を使って遮光する機能を実現でき、人工的に調整する必要がなく、それにノブを回転させるとスポットライトの照明角度を調整でき、すごく便利である。【選択図】図１
2020177881.tif 000002
【特許請求の範囲】
【請求項１】
スポットライトであって、固定箱を含み、前記固定箱の中には伝動チャンバが設置され、前記伝動チャンバの左右の内壁の間にはウォームが回転できるように取り付けられ、前記ウォームの左側端面にはノブが固定的に取り付けられ、前記伝動チャンバの上方には回転チャンバが連通して設置され、前記回転チャンバの前後の内壁の間には補助棒が回転できるように取り付けられ、前記補助棒には歯車が固定的に取り付けられ、前記補助棒において前記歯車の前側にはウォームホイールが固定的に取り付けられ、前記ウォームホイールと前記ウォームとが噛合しており、前記回転チャンバの前後の内壁の間において前記補助棒の右側には安定棒が回転できるように取り付けられ、前記安定棒には箱体が固定的に取り付けられ、前記固定箱の中には安定溝が設置され、前記安定棒が前に伸びて前記安定溝の後側の内壁を貫通しており、前記安定棒の前側端面にはねじりばねが固定的に取り付けられ、前記ねじりばねの前側端面と前記安定溝の前側端面とが固定的に連結され、前記箱体と前記回転チャンバとがスライドできるように取り付けられ、前記回転チャンバの前後にはスライド溝が連通して設置され、前後の前記スライド溝の間にはスライド棒がスライドできるように取り付けられ、前記スライド棒と前記箱体とが固定的に連結され、前記箱体の左側端面には左に開口したチェーンチャンバが設置され、前記スライド棒と前記歯車との間にはチェーンが固定的に取り付けられている；前記箱体の角度を調整する時、前記ノブを回転させて前記ウォームを回転連動させ、前記ウォームが前記ウォームホイールによって前記歯車を回転連動させ、前記歯車が前記チェーンによって前記スライド棒を引っ張って前記スライド溝でスライドさせ、それにより前記箱体の角度を調整し、前記箱体の中には遮光機能のある遮光機構が設置され、前記遮光機構は前記箱体の中に前後上下に対称的に設置された補助チャンバを含み、前記補助チャンバの中には第一回転棒が回転できるように取り付けられ、前記第一回転棒には遮光できる遮光板が固定的に取り付けられ、前記回転チャンバの下方には固定できる固定機構が設置されることを特徴とするスポットライト。
【請求項２】
前記遮光機構は前記箱体の中に設置されたランプチャンバを含み、前記ランプチャンバの左側の内壁にはランプが固定され、前記ランプチャンバの左側にはスライドチャンバが設置され、前記スライドチャンバの中にはネジ山ブロックがスライドできるように取り付けられ、前記スライドチャンバの左側には動力チャンバが連通して設置され、前記動力チャンバの左側の内壁の中にはモーターが固定的に取り付けられ、前記モーターのうち右に向いている出力軸の右側端面にはネジボルトが固定的に取付けられ、前記ネジボルトと前記スライドチャンバの右側の内壁とが回転できるように取り付けられ、前記ネジ山ブロックと前記ネジボルトとがネジ山によって取り付けられ、前記スライドチャンバの上下前後には移動チャンバが連通して設置され、前記移動チャンバの中には固定棒がスライドできるように取り付けられ、前記固定棒と前記ネジ山ブロックとが固定的に連結され、前記ネジ山ブロックには回転溝が設置され、前記回転溝の中には第二回転棒が回転できるように取り付けられ、前記第二回転棒には連結棒が固定的に取り付けられ、前記連結棒の右側端面には伸縮棒が固定的に取り付けられ、前記遮光板には二つの固定ブロックが固定的に取り付けられ、前記固定ブロックの間には第三回転棒が回転できるように取り付けられ、前記第三回転棒には押し棒が固定的に取り付けられ、前記押し棒の中には伸縮溝が設置され、前記伸縮溝と前記伸縮棒とがスライドできるように取り付けられていることを特徴とする請求項１に記載のスポットライト。
【請求項３】
前記固定機構は前記伝動チャンバの下方に設置された固定チャンバを含み、前記固定チャンバの左側には撥条チャンバが設置され、前記撥条チャンバの中には押し板がスライドできるように取り付けられ、前記押し板の左側端面と前記撥条チャンバの左側の内壁の間には撥条が固定的に取り付けられ、前記押し板の右側端面には係止板が固定的に取り付けられ、前記係止板と前記固定箱とがスライドできるように取り付けられ、前記固定チャンバの右側には係止溝が連通して設置され、前記係止板が前記係止溝の中に引掛ることができることを特徴とする請求項１に記載のスポットライト。
【発明の詳細な説明】
【技術分野】
【０００１】
本発明はスポットライト分野を取り上げて、具体的にはスポットライトである。
【背景技術】
【０００２】
ステージにはいつもスポットライトが使われ、それとともに、遮光板も使い、一般なスポットライトを使う時手動で遮光板を調整する必要があり、それに普通のスポットライトの照明角度を調節するのも大変面倒くさい。
【先行技術文献】
【特許文献】
【０００３】
【特許文献１】中国特許出願公開第１０４００６３０５号明細書
【発明の概要】
【発明が解決しようとする課題】
【０００４】
本発明の目的はスポットライトを提供し、現有の技術の上記欠点を克服できる。
【課題を解決するための手段】
【０００５】
本発明の実施例におけるスポットライトは、固定箱を含み、前記固定箱の中には伝動チャンバが設置され、前記伝動チャンバの左右の内壁の間にはウォームが回転できるように取り付けられ、前記ウォームの左側端面にはノブが固定的に取り付けられ、前記伝動チャンバの上方には回転チャンバが連通して設置され、前記回転チャンバの前後の内壁の間には補助棒が回転できるように取り付けられ、前記補助棒には歯車が固定的に取り付けられ、前記補助棒において前記歯車の前側にはウォームホイールが固定的に取り付けられ、前記ウォームホイールと前記ウォームとが噛合しており、前記回転チャンバの前後の内壁の間において前記補助棒の右側には安定棒が回転できるように取り付けられ、前記安定棒には箱体が固定的に取り付けられ、前記固定箱の中には安定溝が設置され、前記安定棒が前に伸びて前記安定溝の後側の内壁を貫通しており、前記安定棒の前側端面にはねじりばねが固定的に取り付けられ、前記ねじりばねの前側端面と前記安定溝の前側端面とが固定的に連結され、前記箱体と前記回転チャンバとがスライドできるように取り付けられ、前記回転チャンバの前後にはスライド溝が連通して設置され、前後の前記スライド溝の間にはスライド棒がスライドできるように取り付けられ、前記スライド棒と前記箱体とが固定的に連結され、前記箱体の左側端面には左に開口したチェーンチャンバが設置され、前記スライド棒と前記歯車との間にはチェーンが固定的に取り付けられている；前記箱体の角度を調整する時、前記ノブを回転させて前記ウォームを回転連動させ、前記ウォームが前記ウォームホイールによって前記歯車を回転連動させ、前記歯車が前記チェーンによって前記スライド棒を引っ張って前記スライド溝でスライドさせ、それにより前記箱体の角度を調整し、前記箱体の中には遮光機能のある遮光機構が設置され、前記遮光機構は前記箱体の中に前後上下に対称的に設置された補助チャンバを含み、前記補助チャンバの中には第一回転棒が回転できるように取り付けられ、前記第一回転棒には遮光できる遮光板が固定的に取り付けられ、前記回転チャンバの下方には固定できる固定機構が設置される。
【０００６】
更なる技術方案、前記遮光機構は前記箱体の中に設置されたランプチャンバを含み、前記ランプチャンバの左側の内壁にはランプが固定され、前記ランプチャンバの左側にはスライドチャンバが設置され、前記スライドチャンバの中にはネジ山ブロックがスライドできるように取り付けられ、前記スライドチャンバの左側には動力チャンバが連通して設置され、前記動力チャンバの左側の内壁の中にはモーターが固定的に取り付けられ、前記モーターのうち右に向いている出力軸の右側端面にはネジボルトが固定的に取付けられ、前記ネジボルトと前記スライドチャンバの右側の内壁とが回転できるように取り付けられ、前記ネジ山ブロックと前記ネジボルトとがネジ山によって取り付けられ、前記スライドチャンバの上下前後には移動チャンバが連通して設置され、前記移動チャンバの中には固定棒がスライドできるように取り付けられ、前記固定棒と前記ネジ山ブロックとが固定的に連結され、前記ネジ山ブロックには回転溝が設置され、前記回転溝の中には第二回転棒が回転できるように取り付けられ、前記第二回転棒には連結棒が固定的に取り付けられ、前記連結棒の右側端面には伸縮棒が固定的に取り付けられ、前記遮光板には二つの固定ブロックが固定的に取り付けられ、前記固定ブロックの間には第三回転棒が回転できるように取り付けられ、前記第三回転棒には押し棒が固定的に取り付けられ、前記押し棒の中には伸縮溝が設置され、前記伸縮溝と前記伸縮棒とがスライドできるように取り付けられている。
【０００７】
更なる技術方案、前記固定機構は前記伝動チャンバの下方に設置された固定チャンバを含み、前記固定チャンバの左側には撥条チャンバが設置され、前記撥条チャンバの中には押し板がスライドできるように取り付けられ、前記押し板の左側端面と前記撥条チャンバの左側の内壁の間には撥条が固定的に取り付けられ、前記押し板の右側端面には係止板が固定的に取り付けられ、前記係止板と前記固定箱とがスライドできるように取り付けられ、前記固定チャンバの右側には係止溝が連通して設置され、前記係止板が前記係止溝の中に引掛ることができる。
【発明の効果】
【０００８】
本発明の有益な効果は下記の通りである：
【０００９】
本発明はモーターによって遮光板の回転を調節でき、遮光板を使って遮光する機能を実現でき、人工的に調整する必要がなく、それにノブを回転させるとスポットライトの照明角度を調整でき。すごく便利で、普及する価値がある。
【図面の簡単な説明】
【００１０】
【図１】図１は本発明の構成模式図
【図２】図２は図１のＡ−Ａの方向の断面構成模式図
【図３】図３は図１のＢ−Ｂの方向の断面構成模式図
【図４】図４は図１のＣ−Ｃの方向の断面構成模式図
【発明を実施するための形態】
【００１１】
以下は図１−４について本発明にを詳しく説明し、その中、便利に叙述するように、後文に出る方位を下記の通りに規定する：後文に出る上下左右前後方向は図１本体の投影関係の上下左右前後方向と一致する。
【００１２】
図１−４を参考して、本発明の実施例におけるスポットライトは、固定箱２５を含み、前記固定箱２５の中には伝動チャンバ１８が設置され、前記伝動チャンバ１８の左右の内壁の間にはウォーム１６が回転できるように取り付けられ、前記ウォーム１６の左側端面にはノブ１７が固定的に取り付けられ、前記伝動チャンバ１８の上方には回転チャンバ１１が連通して設置され、前記回転チャンバ１１の前後の内壁の間には補助棒１４が回転できるように取り付けられ、前記補助棒１４には歯車１５が固定的に取り付けられ、前記補助棒１４において前記歯車１５の前側にはウォームホイール１３が固定的に取り付けられ、前記ウォームホイール１３と前記ウォーム１６とが噛合しており、前記回転チャンバ１１の前後の内壁の間において前記補助棒１４の右側には安定棒２６が回転できるように取り付けられ、前記安定棒２６には箱体２９が固定的に取り付けられ、前記固定箱２５の中には安定溝５０が設置され、前記安定棒２６が前に伸びて前記安定溝５０の後側の内壁を貫通しており、前記安定棒２６の前側端面にはねじりばね４９が固定的に取り付けられ、前記ねじりばね４９の前側端面と前記安定溝５０の前側端面とが固定的に連結され、前記箱体２９と前記回転チャンバ１１とがスライドできるように取り付けられ、前記回転チャンバ１１の前後にはスライド溝４８が連通して設置され、前後の前記スライド溝４８の間にはスライド棒４７がスライドできるように取り付けられ、前記スライド棒４７と前記箱体２９とが固定的に連結され、前記箱体２９の左側端面には左に開口したチェーンチャンバ４６が設置され、前記スライド棒４７と前記歯車１５との間にはチェーン１２が固定的に取り付けられている；前記箱体２９の角度を調整する時、前記ノブ１７を回転させて前記ウォーム１６を回転連動させ、前記ウォーム１６が前記ウォームホイール１３によって前記歯車１５を回転連動させ、前記歯車１５が前記チェーン１２によって前記スライド棒４７を引っ張って前記スライド溝４８でスライドさせ、それにより前記箱体２９の角度を調整し、前記箱体２９の中には遮光機能のある遮光機構７０が設置され、前記遮光機構７０は前記箱体２９の中に前後上下に対称的に設置された補助チャンバ３３を含み、前記補助チャンバ３３の中には第一回転棒３２が回転できるように取り付けられ、前記第一回転棒３２には遮光できる遮光板３５が固定的に取り付けられ、前記回転チャンバ１１の下方には固定できる固定機構８０が設置される。
【００１３】
前記遮光機構７０は前記箱体２９の中に設置されたランプチャンバ３１を含み、前記ランプチャンバ３１の左側の内壁にはランプ３０が固定され、前記ランプチャンバ３１の左側にはスライドチャンバ２７が設置され、前記スライドチャンバ２７の中にはネジ山ブロック４３がスライドできるように取り付けられ、前記スライドチャンバ２７の左側には動力チャンバ５１が連通して設置され、前記動力チャンバ５１の左側の内壁の中にはモーター５２が固定的に取り付けられ、前記モーター５２のうち右に向いている出力軸の右側端面にはネジボルト２８が固定的に取付けられ、前記ネジボルト２８と前記スライドチャンバ２７の右側の内壁とが回転できるように取り付けられ、前記ネジ山ブロック４３と前記ネジボルト２８とがネジ山によって取り付けられ、前記スライドチャンバ２７の上下前後には移動チャンバ４０が連通して設置され、前記移動チャンバ４０の中には固定棒４２がスライドできるように取り付けられ、前記固定棒４２と前記ネジ山ブロック４３とが固定的に連結され、前記ネジ山ブロック４３には回転溝４５が設置され、前記回転溝４５の中には第二回転棒４４が回転できるように取り付けられ、前記第二回転棒４４には連結棒４１が固定的に取り付けられ、前記連結棒４１の右側端面には伸縮棒３９が固定的に取り付けられ、前記遮光板３５には二つの固定ブロック３４が固定的に取り付けられ、前記固定ブロック３４の間には第三回転棒３６が回転できるように取り付けられ、前記第三回転棒３６には押し棒３７が固定的に取り付けられ、前記押し棒３７の中には伸縮溝３８が設置され、前記伸縮溝３８と前記伸縮棒３９とがスライドできるように取り付けられている；それにより遮光板３５を使って遮光する時、モーター５２を始動してネジボルト２８を回転連動させ、ネジボルト２８が回転してネジ山ブロック４３を右に移動連動させ、ネジ山ブロック４３が右に移動して固定棒４２を右に移動連動させ、固定棒４２が連結棒４１と押し棒３７によって遮光板３５を推して相互に接近させて遮光する。
【００１４】
前記固定機構８０は前記伝動チャンバ１８の下方に設置された固定チャンバ２２を含み、前記固定チャンバ２２の左側には撥条チャンバ２０が設置され、前記撥条チャンバ２０の中には押し板２１がスライドできるように取り付けられ、前記押し板２１の左側端面と前記撥条チャンバ２０の左側の内壁の間には撥条１９が固定的に取り付けられ、前記押し板２１の右側端面には係止板２３が固定的に取り付けられ、前記係止板２３と前記固定箱２５とがスライドできるように取り付けられ、前記固定チャンバ２２の右側には係止溝２４が連通して設置され、前記係止板２３が前記係止溝２４の中に引掛ることができる；それにより固定箱２５を固定させる時、押し板２１を推して係止板２３を左に移動連動させ、係止板２３と係止溝２４を引っ掛かる状態から離脱させ、固定物を固定チャンバ２２の中に引っ掛け、そして係止板を使って固定物を封閉させる。
【００１５】
使用する時、箱体２９の角度を調整する時、ノブ１７を回転してウォーム１６を回転連動させ、ウォーム１６がウォームホイール１３によって補助棒１４を回転連動させ、補助棒１４が回転して歯車１５を回転連動させ、歯車がチェーン１２によってスライド棒４７を引っ張ってスライド溝４８でスライドさせ、それにより箱体２９の角度を調整し、遮光板を使って遮光する時、モーター５２を始動してネジボルト２８を回転連動させ、ネジボルト２８が回転してネジ山ブロック４３を右に移動連動させ、ネジ山ブロック４３が右に移動して固定棒４２を右に移動連動させ、固定棒４２が連結棒４１と押し棒３７とによって遮光板３５を推して相互に接近させて遮光し、固定箱２５を固定させる時、押し板２１を推して係止板２３を左に移動連動させ、係止板２３と係止溝２４を引っ掛かる状態から離脱させ、固定物を固定チャンバ２２の中に引っ掛け、そして係止板を使って固定物を封閉させる。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020177881.tif 000003
【図２】
2020177881.tif 000004
【図３】
2020177881.tif 000005
【図４】
2020177881.tif 000006